(57)【要約】【課題】有体物の表面のうち、浄化を意図する一部表面について、液状の洗浄剤による洗浄が十分にかつ迅速に達成される一方、洗浄を意図しない他部表面については、この他部表面に液状の洗浄剤が悪影響を及ぼさないようにし、もって、有体物の見栄えを全体的に向上させるようにする。【解決手段】宗教用有体物の表面浄化方法は、有体物１の表面のうち、金箔もしくは漆を施すことにより形成された一部表面１４，１５を液状の洗浄剤により洗浄する、というものである。洗浄に先立って、まず、表面のうち、一部表面１４，１５以外の他部表面１８，２１を遮液性の被覆体２４で覆い、この被覆体２４の端縁部を一部表面１４，１５の端縁部２５に対し離脱可能に液封するよう接合する。次に、一部表面１４，１５の端縁部２５を除くこの一部表面１４，１５を上記洗浄剤により洗浄する。次に、一部表面１４，１５の端縁部２５から被覆体２４を離脱させる。【選択図】図１
2008068226.tif 000002
【特許請求の範囲】
【請求項１】
宗教用有体物の表面のうち、金箔もしくは漆を施すことにより形成された一部表面を液状の洗浄剤により洗浄する宗教用有体物の表面浄化方法であって、
上記洗浄に先立って、まず、上記有体物の表面のうち、上記一部表面以外の他部表面を遮液性の被覆体で覆い、この被覆体の端縁部を上記一部表面の端縁部に対し離脱可能に液封するよう接合し、
次に、上記一部表面の端縁部を除くこの一部表面を上記洗浄剤により洗浄し、
次に、上記一部表面の端縁部から上記被覆体を離脱させるようにしたことを特徴とする宗教用有体物の表面浄化方法。
【請求項２】
上記他部表面を上記被覆体で覆う以前と、上記端縁部から上記被覆体の端縁部を離脱させた以後とのうち、少なくともいずれか一方の時点において、上記一部表面の端縁部を浄化するようにしたことを特徴とする請求項１に記載の宗教用有体物の表面浄化方法。
【請求項３】
上記他部表面に、上記有体物の内部に通じる隙間が開口していることを特徴とする請求項１、もしくは２に記載の宗教用有体物の表面浄化方法。
【請求項４】
上記他部表面が、塗料もしくは切金を施すことにより形成されていることを特徴とする請求項１、もしくは２に記載の宗教用有体物の表面浄化方法。
【発明の詳細な説明】
【技術分野】
【０００１】
本発明は、仏像、仏具などの宗教用有体物の表面のうち、金箔もしくは漆を施すことにより形成された一部表面を、液状の洗浄剤により洗浄するようにした宗教用有体物の表面浄化方法に関するものである。
【背景技術】
【０００２】
上記宗教用有体物における例えば仏具は、一般に、木製の基体と、この基体の表面に施されて仏具の表面を形成する金箔もしくは漆による化粧層とを備えている。
【０００３】
上記仏具には、例えば１００年以上のように、多年の経過に伴い、その化粧層の表面に塵や線香の煙などが付着して光沢が失われたものが多くみられる。そして、この場合には、この仏具の見栄えが低下しがちである。そこで、上記化粧層の表面を浄化し、その光沢を復元させることにより見栄えを向上させるものとして、下記特許文献１に示された宗教用有体物の表面浄化方法が提案されている。なお、この浄化方法の発明者は、本願発明の発明者と同一である。
【０００４】
上記公報の浄化方法は、いわゆる「泡洗浄」といわれるものである。これによれば、まず、上記仏具の化粧層の表面に洗浄水により形成した泡が付着させられ、この泡による洗浄がなされる。次に、この付着から所定時間経過後に、上記化粧層の表面に溶剤が注がれて、上記泡が洗い流され、その後、これが乾燥させられる。このようにして、上記化粧層の表面に所望の光沢が復元させられることとされている。
【０００５】
そして、上記「泡洗浄」によれば、所要水量は極めて少量で足りる。このため、上記化粧層の内部に対する水の浸み込みが防止される。よって、このような浸み込みにより上記化粧層における金箔や漆が剥がれ落ちて、上記仏具の表面が損傷させられる、ということは防止される。
【特許文献１】特開平５−１８５０５１号公報
【発明の開示】
【発明が解決しようとする課題】
【０００６】
ところで、上記従来の技術によれば、次のような問題点がある。この問題点につき、一つの従来例として示した図３，４に従って説明する。
【０００７】
第１に、図３，４において符号１は宗教用有体物であり、図例では仏具２の一部分を示している。この仏具２は、柱３と、この柱３を支持する台座４とを備えている。上記柱３と台座４とはそれぞれ木製の基体５，６を備えている。これら両基体５，６の互いの結合はほぞ結合とされている。
【０００８】
具体的には、上記柱３の基体５の下端面から下方に向かってほぞ８が突設される。一方、上記台座４の基体６の上面に上記ほぞ８を密嵌可能とさせるほぞ穴９が形成される。そして、上記ほぞ８をほぞ穴９に嵌入させ、上記ほぞ８を除く上記柱３の基体５の下端面１０を上記台座４の基体６の上面１１に接合させれば、上記柱３と台座４との各基体５，６が互いに結合されるようになっている。
【０００９】
上記柱３の表面のうち、この柱３の下端面およびほぞ８を除くこの柱３の一部表面１４と、上記台座４の表面のうち、上記柱３の基体５の下端面に対面する部分およびほぞ穴９を除く台座４の一部表面１５とは、それぞれ化粧層１６により形成されている。この化粧層１６は、上記柱３と台座４との各基体５，６の表面に施された金箔もしくは漆の層である。
【００１０】
そして、図４で示すように、上記２つの基体５，６を結合させたときには、柱３と台座４との各一部表面１４，１５の間には極めて細い隙間１７が生じる。つまり、２つの基体５，６を互いに結合させたことにより形成される仏具２の表面のうち、上記各一部表面１４，１５を除き、これら両一部表面１４，１５の間における狭い他部表面１８には、上記仏具２の内部に通じる上記隙間１７が開口することとなる。
【００１１】
よって、上記仏具２の表面に対し前記「泡洗浄」をした場合、この「泡洗浄」における水分や溶剤が上記隙間１７を通り仏具２の内部のほぞ穴９に浸み込んで、この仏具２の内部を変質させるおそれを生じる。
【００１２】
また、第２に、上記仏具２の一部表面１４に隣接するこの仏具２の更に他の他部表面２１は、上記した金箔や漆以外のもので化粧された他の化粧層２２により形成されている。具体的には、この他の化粧層２２は、上記柱３の基体５の表面に施された顔料などの塗料もしくは切金（截金：きりかね）の層である。この切金とは、金箔など金属箔を線形状や多角形など所望形状に細かく切り、これを膠などの接着剤により、上記柱３の基体５の表面に貼付して、所望の文様を得るというものである。ここで、上記塗料や切金は、それ自体の強度は小さく、また、上記基体５，６に対する接着力も小さいものである。
【００１３】
そして、上記一部表面１４，１５に対し前記「泡洗浄」をした場合において、この「泡洗浄」における水分や溶剤が上記他の他部表面２１に付着したとする。すると、この他部表面２１を形成している他の化粧層２２の塗料、もしくは切金における接着剤が上記水分や溶剤に容易に溶解するなどして、上記他の他部表面２１を無用に損傷させるおそれを生じる。
【課題を解決するための手段】
【００１４】
本発明は、上記のような事情に注目してなされたもので、本発明の目的は、有体物の表面のうち、浄化を意図する一部表面について、液状の洗浄剤による洗浄が十分にかつ迅速に達成される一方、洗浄を意図しない他部表面については、この他部表面に液状の洗浄剤が悪影響を及ぼさないようにし、もって、上記有体物の見栄えを全体的に向上させることである。
【００１５】
請求項１の発明は、宗教用有体物１の表面のうち、金箔もしくは漆を施すことにより形成された一部表面１４，１５を液状の洗浄剤により洗浄する宗教用有体物の表面浄化方法であって、
上記洗浄に先立って、まず、上記有体物１の表面のうち、上記一部表面１４，１５以外の他部表面１８，２１を遮液性の被覆体２４で覆い、この被覆体２４の端縁部を上記一部表面１４，１５の端縁部２５に対し離脱可能に液封するよう接合し、
次に、上記一部表面１４，１５の端縁部２５を除くこの一部表面１４，１５を上記洗浄剤により洗浄し、
次に、上記一部表面１４，１５の端縁部２５から上記被覆体２４を離脱させるようにしたものである。
【００１６】
請求項２の発明は、請求項１の発明に加えて、上記他部表面１８，２１を上記被覆体２４で覆う以前と、上記端縁部２５から上記被覆体２４の端縁部を離脱させた以後とのうち、少なくともいずれか一方の時点において、上記一部表面１４，１５の端縁部２５を、浄化するようにしたものである。
【００１７】
請求項３の発明は、請求項１、もしくは２の発明に加えて、上記他部表面１８に、上記有体物１の内部に通じる隙間１７が開口しているものである。
【００１８】
請求項４の発明は、請求項１、もしくは２の発明に加えて、上記他部表面２１が、塗料もしくは切金を施すことにより形成されているものである。
【００１９】
なお、この項において、上記各用語に付記した符号は、本発明の技術的範囲を後述の「実施例」の項や図面の内容に限定解釈するものではない。
【発明の効果】
【００２０】
本発明による効果は、次の如くである。
【００２１】
請求項１の発明は、宗教用有体物の表面のうち、金箔もしくは漆を施すことにより形成された一部表面を液状の洗浄剤により洗浄する宗教用有体物の表面浄化方法であって、
上記洗浄に先立って、まず、上記有体物の表面のうち、上記一部表面以外の他部表面を遮液性の被覆体で覆い、この被覆体の端縁部を上記一部表面の端縁部に対し離脱可能に液封するよう接合し、
次に、上記一部表面の端縁部を除くこの一部表面を上記洗浄剤により洗浄し、
次に、上記一部表面の端縁部から上記被覆体を離脱させるようにしている。
【００２２】
このため、上記有体物の表面のうち、浄化を意図する上記一部表面について、液状の洗浄剤による洗浄が十分にかつ迅速に達成される一方、洗浄を意図しない上記他部表面については、この他部表面に上記洗浄剤が悪影響を及ぼす、ということは上記被覆体により防止される。よって、上記有体物の見栄えを全体的に向上させることができる。
【００２３】
また、上記したように、他部表面を覆う被覆体の端縁部は、上記一部表面の端縁部に離脱可能に接合させられていて、上記洗浄後には上記一部表面の端縁部から離脱させられるものである。
【００２４】
ここで、上記一部表面における金箔もしくは漆については、それ自体の強度と、上記有体物の基体に対する接着力とは、ある程度の大きいものである。
【００２５】
このため、上記のように一部表面の端縁部に被覆体の端縁部を接合させた後、離脱させる場合、その接合による何らかの接着力によって上記一部表面が剥離させられるなど損傷が生じるということは、より確実に防止される。即ち、このような損傷が上記有体物に生じることをより確実に防止しつつ、この有体物の見栄えをより確実に向上させることができる。
【００２６】
請求項２の発明は、上記他部表面を上記被覆体で覆う以前と、上記端縁部から上記被覆体の端縁部を離脱させた以後とのうち、少なくともいずれか一方の時点において、上記一部表面の端縁部を浄化するようにしている。
【００２７】
ここで、上記一部表面の端縁部の浄化については、例えば、上記液状の洗浄剤で濡らしたモップを用いて、できるだけ軽く払拭するなどにより、上記液状の洗浄剤による悪影響が上記他部表面に与えられることを注意深く防止しつつ、浄化すればよい。この場合、上記一部表面の端縁部の面積は小さいため、上記浄化作業は迅速にできる。そして、これによれば、上記一部表面は、その端縁部までを含め、より全体的にかつ迅速に浄化させられる。よって、上記有体物の見栄えを、より確実に全体的にかつ迅速に向上させることができる。
【００２８】
請求項３の発明は、上記他部表面に、上記有体物の内部に通じる隙間が開口している。
【００２９】
ここで、上記洗浄時には、液状の洗浄剤が上記隙間を通り有体物の内部のほぞ穴などに浸み込むおそれがある。しかし、上記発明によれば、上記浸み込みは、上記他部表面を覆う上記被覆体により防止される。よって、上記洗浄剤による有体物の内部の変質化が防止される。
【００３０】
請求項４の発明は、上記他部表面が、塗料もしくは切金を施すことにより形成されている。
【００３１】
ここで、上記塗料、もしくは切金における接着剤は、これに上記液状の洗浄剤が接触したとすると、この洗浄剤に容易に溶解するなどして上記他部表面が無用に損傷させられるおそれを生じる。しかし、上記発明によれば、上記損傷の発生は、上記他部表面を覆う上記被覆体により防止される。よって、上記洗浄剤による他部表面の損傷が防止される。
【発明を実施するための最良の形態】
【００３２】
本発明の宗教用有体物の表面浄化方法に関し、有体物の表面のうち、浄化を意図する一部表面について、液状の洗浄剤による洗浄が十分にかつ迅速に達成される一方、洗浄を意図しない他部表面については、この他部表面に液状の洗浄剤が悪影響を及ぼさないようにし、もって、上記有体物の見栄えを全体的に向上させるようにする、という目的を実現するため、本発明を実施するための最良の形態は、次の如くである。
【００３３】
即ち、宗教用有体物の表面浄化方法は、宗教用有体物の表面のうち、金箔もしくは漆を施すことにより形成された一部表面を液状の洗浄剤により洗浄するものである。
【００３４】
上記洗浄に先立って、まず、上記有体物の表面のうち、上記一部表面以外の他部表面を遮液性の被覆体で覆い、この被覆体の端縁部を上記一部表面の端縁部に対し離脱可能に液封するよう接合し、
次に、上記一部表面の端縁部を除くこの一部表面を上記洗浄剤により洗浄し、
次に、上記一部表面の端縁部から上記被覆体を離脱させるようにしている。
【実施例】
【００３５】
本発明をより詳細に説明するために、その実施例を添付の図１，２に従って説明する。なお、この図１，２は、前記図３，４の基本構成と同様であるため、図面に共通の符号を付して、その説明は省略する。
【００３６】
図１，２において、上記有体物１の表面浄化方法につき、説明する。
【００３７】
上記方法は、上記有体物１の表面のうち、一部表面１４，１５を液状の洗浄剤により洗浄するというものである。この場合、この洗浄に先立って、まず、上記表面のうち、上記一部表面１４，１５以外の他部表面１８，２１を遮液性の被覆体２４で覆い、この被覆体２４の端縁部を上記一部表面１４，１５の端縁部２５に対し離脱可能（図１中一点鎖線）に液封するよう接合（圧接含む）させる。図例では、上記被覆体２４の端縁部を上記一部表面１４，１５の端縁部２５に対し接着剤２６などにより貼着させている。
【００３８】
上記洗浄剤は、前記「泡洗浄」に用いられるものであって、金箔や漆を変質させないものである。また、上記被覆体２４は、ビニールテープ、樹脂シート、コーキング材など不透液性のものである。また、上記被覆体２４は、上記一部表面１４，１５の端縁部２５への接合状態において、吸液はするものの液の貫通は遮断する繊維製テープ、シート、ロープのようなものである。
【００３９】
また、上記一部表面１４，１５の端縁部２５に対する上記接着剤２６の貼着は、液封がより確実に行われるものである。一方、上記貼着における貼着力の大きさは、上記一部表面１４，１５の端縁部２５から上記被覆体２４を離脱させるとき、上記基体５，６の表面からの上記化粧層１６の剥離がより確実に防止される程度の小さいものとされる。
【００４０】
次に、上記一部表面１４，１５の各端縁部２５を除くこの一部表面１４，１５を上記洗浄剤により「泡洗浄」する。なお、この洗浄は「泡洗浄」に限定されるものではない。そして、この洗浄後に、上記一部表面１４，１５を自然乾燥もしくは送風ファンなどにより強制乾燥させる。
【００４１】
次に、上記一部表面１４，１５の各端縁部２５から上記被覆体２４の端縁部を離脱させる。
【００４２】
上記構成によれば、上記有体物１の表面のうち、浄化を意図する上記一部表面１４，１５について、液状の洗浄剤による洗浄が十分にかつ迅速に達成される一方、洗浄を意図しない上記他部表面１８，２１については、この他部表面１８，２１に上記液状の洗浄剤が悪影響を及ぼす、ということは上記被覆体２４により防止される。よって、上記有体物１の見栄えを全体的に向上させることができる。
【００４３】
また、上記したように、他部表面１８，２１を覆う被覆体２４の端縁部は、上記一部表面１４，１５の端縁部２５に離脱可能に接合させられていて、上記洗浄後には上記一部表面１４，１５の端縁部２５から離脱させられるものである。
【００４４】
ここで、上記一部表面１４，１５における金箔もしくは漆については、それ自体の強度と、上記有体物１の基体５，６に対する接着力とは、上記他部表面１８，２１における塗料や切金のそれに比べてある程度大きいものである。
【００４５】
このため、上記のように一部表面１４，１５の端縁部２５に被覆体２４の端縁部を接合させた後、離脱させる場合、その接合による何らかの接着力（貼着力など）によって上記一部表面１４，１５が剥離させられるなど損傷が生じるということは、より確実に防止される。即ち、このような損傷が上記有体物１に生じることをより確実に防止しつつ、この有体物１の見栄えをより確実に向上させることができる。
【００４６】
一方、上記他部表面１８，２１を上記被覆体２４で覆う以前と、上記端縁部２５から上記被覆体２４の端縁部を離脱させた以後とのうち、少なくともいずれか一方の時点において、上記一部表面１４，１５の端縁部２５を浄化する。
【００４７】
上記一部表面１４，１５の端縁部２５について浄化する場合、例えば、次のようにする。即ち、上記液状の洗浄剤で濡らしたモップを用いて、上記一部表面１４，１５の端縁部２５をできるだけ軽く払拭することにより、注意深く浄化する。もしくは、上記液状の洗浄剤を用いないで、乾式浄化する。つまり、上記一部表面１４，１５の端縁部２５に付着している汚れを、へらや刷毛で注意深く除去する。上記各浄化をする際には、上記液状の洗浄剤による悪影響が上記他部表面１８，２１に与えられることを注意深く防止しつつ、浄化すればよい。
【００４８】
上記の場合、上記一部表面１４，１５の端縁部２５の面積は小さいため、上記浄化作業は迅速にできる。そして、これによれば、上記一部表面１４，１５は、その各端縁部２５までを含め、より全体的にかつ迅速に浄化させられる。よって、上記有体物１の見栄えを、より確実に全体的にかつ迅速に向上させることができる。
【００４９】
また、前記したように、他部表面１８に、上記宗教用有体物１の内部に通じる隙間１７が開口している。
【００５０】
ここで、上記洗浄時には、液状の洗浄剤が上記隙間１７を通り有体物１の内部のほぞ穴９などに浸み込むおそれがある。しかし、上記構成によれば、上記浸み込みは、上記他部表面１８を覆う上記被覆体２４により防止される。よって、上記洗浄剤による有体物１の内部の変質化が防止される。
【００５１】
また、前記したように、他部表面２１が、塗料もしくは切金を施すことにより形成されている。
【００５２】
ここで、上記塗料、もしくは切金における接着剤は、これに上記液状の洗浄剤が接触したとすると、この洗浄剤に容易に溶解するなどして上記他部表面１８，２１が無用に損傷させられるおそれを生じる。しかし、上記構成によれば、上記損傷の発生は、上記他部表面２１を覆う上記被覆体２４により防止される。よって、上記洗浄剤による他部表面２１の損傷が防止される。
【００５３】
なお、以上は図示の例によるが、有体物１は神像、神具、神社、仏閣などであってもよい。また、被覆体２４は、液状シリコンをスプレーすることにより形成されるフィルムコーティングでもよい。
【図面の簡単な説明】
【００５４】
【図１】本発明の実施例を示し、有体物の部分側面部分断面図である。
【図２】本発明の実施例を示し、有体物の部分斜視図である。
【図３】従来技術を示し、有体物の部分展開斜視図である。
【図４】従来技術を示し、図１に相当する図である。
【符号の説明】
【００５５】
１    有体物
２    仏具
３    柱
４    台座
５    基体
６    基体
１４  一部表面
１５  一部表面
１６  化粧層
１７  隙間
１８  他部表面
２１  他部表面
２２  化粧層
２４  被覆体
２５  端縁部
【図１】
2008068226.tif 000003
【図２】
2008068226.tif 000004
【図３】
2008068226.tif 000005
【図４】
2008068226.tif 000006